(57)【要約】【課題】電波環境に応じたチューナ設定変更が可能なダイバーシチ受信装置を提供する。【解決手段】アンテナ２０に接続された第１のチューナ部２２と、アンテナ２１に接続された第２のチューナ部２３と、第１のチューナ部２２及び２３の後段に接続された復調回路２４とを備え、第１のチューナ部２２及び２３にはそれぞれ、受信信号が入力されるＲＦ-ＡＧＣ増幅回路２２４、２３４と、ＲＦ-ＡＧＣ増幅回路２２４、２３４の出力信号を周波数変換する混合回路２２５、２３５と、混合回路２２５、２３５の出力信号が入力されるＩＦフィルタ回路２２８、２３７とが設けられていると共に、第１のチューナ部２２のＲＦ-ＡＧＣ増幅回路２２４の利得を復調回路２４からのＲＦ-ＡＧＣ制御電圧で制御し、第２のチューナ部２３のＲＦ-ＡＧＣ増幅回路２３４の利得を混合回路２３５の出力信号レベルの値を基に生成されたＡＧＣ制御電圧で制御するようにした。【選択図】図１
2010258995.tif 000002
【特許請求の範囲】
【請求項１】
第１のアンテナに接続された第１の受信回路と、第２のアンテナに接続された第２の受信回路と、前記第１及び第２の受信回路の後段に接続された復調回路と、を備えたダイバーシチ受信装置であって、
前記第１及び第２の受信回路は、入力する受信信号の増幅度がＲＦ-ＡＧＣ制御電圧に基づいて制御されるＲＦ-ＡＧＣ増幅回路と、前記ＲＦ-ＡＧＣ増幅回路の出力信号を周波数変換する混合回路と、前記混合回路の出力信号が入力されるＩＦフィルタ回路と、をそれぞれ有し、
前記第１の受信回路は、当該第１の受信回路から出力されたＩＦ信号を基にＲＦ-ＡＧＣ制御電圧を生成した前記復調回路から前記ＲＦ-ＡＧＣ増幅回路の増幅度が制御され、
前記第２の受信回路は、当該第２の受信回路において前記ＩＦフィルタ回路の前段で検波された検波結果を基に生成されたＲＦ-ＡＧＣ制御電圧で前記ＲＦ-ＡＧＣ増幅回路の増幅度が制御され、
前記第１の受信回路の前記ＲＦ-ＡＧＣ増幅回路に与えられるＲＦ-ＡＧＣ制御電圧と、前記第２の受信回路の前記ＲＦ-ＡＧＣ増幅回路に与えられるＲＦ-ＡＧＣ制御電圧とを比較して妨害波判定信号を出力することを特徴とするダイバーシチ受信装置。
【請求項２】
前記妨害波判定信号が、前記第１の受信回路のＲＦ-ＡＧＣ制御電圧と前記第２の受信回路のＲＦ-ＡＧＣ制御電圧との差が所定値よりも大きいことを示している場合、前記第１及び第２の受信回路を強入力妨害波に対する歪耐性を強化した設定に切り替えることを特徴とする請求項１記載のダイバーシチ受信装置。
【請求項３】
強入力妨害波に対する歪耐性を強化した設定として、前記第１及び第２の受信回路におけるＡＧＣスタートポイントを下げることを特徴とする請求項２記載のダイバーシチ受信装置。
【請求項４】
強入力妨害波に対する歪耐性を強化した設定として、前記第２の受信回路における検波帯域を広げることを特徴とする請求項２記載のダイバーシチ受信装置。
【請求項５】
強入力妨害波に対する歪耐性を強化した設定として、前記第１及び第２の受信回路における前記各ＲＦ-ＡＧＣ増幅回路より前段における信号を減衰させることを特徴とする請求項２記載のダイバーシチ受信装置。
【請求項６】
前記第１及び第２の受信回路は、前記ＩＦフィルタ回路の後段にＩＦ信号の信号レベルをＩＦ-ＡＧＣ制御電圧に基づいて制御するＩＦ-ＡＧＣ増幅回路を、それぞれ備え、
前記復調回路は、前記各ＩＦ-ＡＧＣ増幅回路から出力されるＩＦ信号を基に前記第１及び第２の受信回路に対するＩＦ-ＡＧＣ制御電圧を生成し、各々対応するＩＦ-ＡＧＣ増幅回路に供給することを特徴とする請求項１乃至請求項５のいずれかに記載のダイバーシチ受信装置。
【発明の詳細な説明】
【技術分野】
【０００１】
本発明は、複数アンテナのそれぞれに設けられたチューナから出力される受信信号を合成するダイバーシチ受信装置に関する。
【背景技術】
【０００２】
従来、受信装置のチューナでは、強入力妨害波による歪を防止するために、入力電界レベルの増減に追従して増幅レベルを自動制御する自動利得制御（ＡＧＣ）が行われている（例えば、特許文献１参照）。図４は、特許文献１で開示されたデジタルテレビジョン受信用チューナの構成の一部分を示す回路図である。同図において、入力端１に入力されてバンドパスフィルタ２を通過した希望波信号（妨害波信号を含む）を低雑音増幅器３で増幅し、希望波を混合器５で中間周波信号に変換し、希望波の中間周波信号を中間周波フィルタ７で抽出し、中間周波増幅器８で増幅している。また、低雑音増幅器３の出力を第一の検波回路４で検波し、また中間周波増幅器８の出力を第二の検波回路１１で検波し、ＡＧＣ電圧処理回路１２が、低雑音増幅器３と中間周波増幅器８の出力のレベルに応じて低雑音増幅器３の利得を制御すると共に、中間周波増幅器８の利得を制御する。
【０００３】
一方、受信機において複数のアンテナを設置し、アンテナ毎に設けたチューナから出力されるＩＦ信号を復調ＩＣで最大比合成することで受信信号の信頼性を高めるダイバーシチ受信装置がある。
【０００４】
図３は２つの受信系統のチューナから出力されるＩＦ信号を復調ＩＣで最大比合成するダイバーシチ受信装置の概略図である。２つのチューナ５０、５１はＲＦ帯域の受信信号をＩＦ帯域の受信信号に周波数変換する混合器をそれぞれ備えている。チューナ５０、５１は、混合器の前段において入力電界が強いほど増幅レベルが低くなるように自動利得制御するＲＦ-ＡＧＣ増幅回路を備え、混合器の後段においてＩＦ信号レベルが高いほど増幅レベルが低くなるように自動利得制御するＩＦ-ＡＧＣ増幅回路を備える。
【０００５】
図３に示すように、２つのチューナ５０、５１では、チューナ内部の混合器の前段でＲＦ-ＡＧＣ増幅回路の出力レベルを検出してＲＦ-ＡＧＣ増幅回路に対するＲＦ-ＡＧＣをかけている。また、チューナ５０、５１の出力段に接続された復調回路６０で双方のチューナ５０、５１のＩＦ信号レベルを検出してＩＦ−ＡＧＣ増幅回路に対するＩＦ-ＡＧＣをかけている。
【先行技術文献】
【特許文献】
【０００６】
【特許文献１】特開２００１−１３６４４７号公報
【発明の概要】
【発明が解決しようとする課題】
【０００７】
ところで、従来の受信装置において、強入力妨害波に対してＡＧＣにより歪性能を確保しようとすると、検波回路での検波範囲を広帯域化しなければならないが、それでは感度性能を犠牲にすることとなる。しかしながら、歪性能と感度性能を両立するために中間的な設定にしたのでは、本来の歪性能及び感度性能を十分に発揮することができない。
【０００８】
本発明は、かかる点に鑑みてなされたものであり、ダイバーシチ受信が複数のチューナで並列にＡＧＣを行うことを利用して、強入力妨害波に対しても十分な歪性能を実現できると共に弱入力妨害波に対しては高い感度性能を実現できるダイバーシチ受信装置を提供することを目的とする。
【課題を解決するための手段】
【０００９】
本発明のダイバーシチ受信装置は、第１のアンテナに接続された第１の受信回路と、第２のアンテナに接続された第２の受信回路と、前記第１及び第２の受信回路の後段に接続された復調回路と、を備えたダイバーシチ受信装置であって、前記第１及び第２の受信回路は、入力する受信信号の増幅度がＲＦ-ＡＧＣ制御電圧に基づいて制御されるＲＦ-ＡＧＣ増幅回路と、前記ＲＦ-ＡＧＣ増幅回路の出力信号を周波数変換する混合回路と、前記混合回路の出力信号が入力されるＩＦフィルタ回路と、をそれぞれ有し、前記第１の受信回路は、当該第１の受信回路から出力されたＩＦ信号を基にＲＦ-ＡＧＣ制御電圧を生成した前記復調回路から前記ＲＦ-ＡＧＣ増幅回路の増幅度が制御され、前記第２の受信回路は、当該第２の受信回路において前記ＩＦフィルタ回路の前段で検波された検波結果を基に生成されたＲＦ-ＡＧＣ制御電圧で前記ＲＦ-ＡＧＣ増幅回路の増幅度が制御され、前記第１の受信回路の前記ＲＦ-ＡＧＣ増幅回路に与えられるＲＦ-ＡＧＣ制御電圧と、前記第２の受信回路の前記ＲＦ-ＡＧＣ増幅回路に与えられるＲＦ-ＡＧＣ制御電圧とを比較して妨害波判定信号を出力することを特徴とする。
【００１０】
この構成によれば、多波妨害波のような強入力妨害波は発生して時には、第２の受信回路は、自身で検波制御を行うので、歪みに反応してＲＦ-ＡＧＣの減衰を大きく取ろうと動作する一方、第１の受信回路は、復調回路で検波制御されるため、希望波と妨害波の判断ができず、ＲＦ-ＡＧＣの減衰量を十分にとることができない。これにより、第１の受信回路と第２の受信回路との間でＲＦ-ＡＧＣ制御電圧に差が生じることから、この差を判定することで強入力妨害波の発生を検知できる。したがって、強入力妨害波の発生を検知した場合に、第１及び第２の受信回路を強入力妨害波に対する歪耐性を強化した設定に切り替えるシステム構成をとることができ、強入力妨害波発生時には歪耐性を強化することができ、強入力妨害波が発生していない時には元の感度特性に戻すことが可能になる。
【００１１】
上記ダイバーシチ受信装置において、前記妨害波判定信号が、前記第１の受信回路のＲＦ-ＡＧＣ制御電圧と前記第２の受信回路のＲＦ-ＡＧＣ制御電圧との差が所定値よりも大きいことを示している場合、前記第１及び第２の受信回路を強入力妨害波に対する歪耐性を強化した設定に切り替えることを特徴とする。
【００１２】
上記ダイバーシチ受信装置において、強入力妨害波に対する歪耐性を強化した設定として、前記第１及び第２の受信回路におけるＡＧＣスタートポイントを下げる設定に切り替えるようにしても良い。
【００１３】
上記ダイバーシチ受信装置において、強入力妨害波に対する歪耐性を強化した設定として、前記第２の受信回路における検波帯域を広げる設定に切り替えるようにしても良い。
【００１４】
上記ダイバーシチ受信装置において、強入力妨害波に対する歪耐性を強化した設定として、前記第１及び第２の受信回路における前記各ＲＦ-ＡＧＣ増幅回路より前段における信号を減衰させるようにしても良い。
【００１５】
上記ダイバーシチ受信装置において、前記第１及び第２の受信回路は、前記ＩＦフィルタ回路の後段にＩＦ信号の信号レベルをＩＦ-ＡＧＣ制御電圧に基づいて制御するＩＦ-ＡＧＣ増幅回路をそれぞれ備え、前記復調回路は、前記各ＩＦ-ＡＧＣ増幅回路から出力されるＩＦ信号を基に前記第１及び第２の受信回路に対するＩＦ-ＡＧＣ制御電圧を生成し、各々対応するＩＦ-ＡＧＣ増幅回路に供給する構成としても良い。
【発明の効果】
【００１６】
本発明によれば、ダイバーシチ受信装置において強入力妨害波に対して十分な歪性能を実現でき、弱入力妨害波に対しては高い感度性能を実現できる。
【図面の簡単な説明】
【００１７】
【図１】本発明の一実施の形態に係るダイバーシチ受信装置のチューナの回路構成と復調回路を示す図である。
【図２】本発明の一実施の形態に係るダイバーシチ受信装置の概略構成を示すブロック図である。
【図３】従来のダイバーシチ受信装置の概略構成を示すブロック図である。
【図４】従来のデジタルテレビジョン受信用チューナの構成の一部分を示す回路図である。
【発明を実施するための形態】
【００１８】
以下、本発明の実施の形態について添付図面を参照して詳細に説明する。
図１は、本発明の一実施の形態に係るダイバーシチ受信装置のチューナの回路及び復調回路を示す図である。本実施の形態のダイバーシチ受信装置は、２つの受信系統を備え、テレビジョン信号の受信に適合するように回路構成されている。第１のアンテナ２０に第１のチューナ部２２が接続され、第２のアンテナ２１に第２のチューナ部２３が接続されている。第１及び第２のチューナ部２２，２３の後段に復調回路２４が接続されている。
【００１９】
第１のチューナ部２２は、第１のアンテナ２０から入力されるＲＦ信号のレベルを最適な値に設定するアッテネータ２２１と、アッテネータ２２１で所望レベルに設定されたＲＦ信号を低雑音で増幅するＲＦ増幅回路２２２と、ＲＦ増幅回路２２２で増幅されたＲＦ信号から目的とする信号以外の信号を取り除くＲＦフィルタ回路２２３と、ＲＦフィルタ回路２２３で抽出されたＲＦ信号を入力電界レベルに応じた増幅度でレベル制御するＲＦ-ＡＧＣ増幅回路２２４と、ＲＦ-ＡＧＣ増幅回路２２４で増幅されたＲＦ信号をＩＦ信号に変換する混合回路２２５と、混合回路２２５に局部発振信号を与える局部発振回路２２６と、局部発振回路２２６の周波数を設定して一定に保つための周波数制御を行うＰＬＬ２２７と、混合回路２２５からのＩＦ信号から不要な成分を除去するＩＦフィルタ回路２２８と、ＩＦフィルタ回路２２８で不要な成分が抽出されたＩＦ信号を復調回路２４で扱える電圧まで増幅するＩＦ増幅回路２２９とを備えている。
【００２０】
アッテネータ２２１は段階的に減衰量の調整が可能であり、復調回路２４から与えられるＲＦ-ＡＧＣ制御電圧に応じた減衰量に設定される。ＲＦフィルタ回路２２３は、中心周波数を可変可能なバンドパスフィルタで構成され、ＰＬＬ２２７で設定される周波数に応じて中心周波数が設定される。ＲＦ-ＡＧＣ増幅回路２２４は、増幅度の調整が可能であり、復調回路２４から与えられるＲＦ-ＡＧＣ制御電圧に応じた増幅度に設定される。ＩＦフィルタ回路２２８にはＳＡＷフィルタが用いられる。ＩＦ増幅回路２２９には復調回路２４からＩＦ-ＡＧＣ制御電圧が入力される。ＩＦ増幅回路２２９は増幅度の調整が可能であり、ＩＦ-ＡＧＣ制御電圧に応じた増幅度に設定される。ＩＦ増幅回路２２９から出力されるＩＦ信号は出力端子（ＩＦ・ＯＵＴ１）を介して復調回路２４に入力される。復調回路２４は、ＩＦ増幅回路２２９から取り込まれたＩＦ信号から元の信号を復調する。また、復調回路２４は、ＩＦ増幅回路２２９から取り込まれたＩＦ信号を基に該ＩＦ信号が一定レベルになるように、ＲＦ-ＡＧＣ制御電圧とＩＦ-ＡＧＣ制御電圧を出力する。
【００２１】
以上のように、第１のチューナ部２２では、ＲＦ-ＡＧＣ増幅回路２２４及びＩＦ-ＡＧＣ増幅回路２２９の増幅度が、チューナ最終段のＩＦ信号を基づいて復調回路２４からのＲＦ-ＡＧＣ制御電圧及びＩＦ-ＡＧＣ制御電圧で制御される。
【００２２】
第２のチューナ部２３は、ＲＦ-ＡＧＣ方式を除いて、第１のチューナ部２２と同様に構成されている。すなわち、第２のアンテナ２１から入力されるＲＦ信号のレベルを設定するアッテネータ２３１と、アッテネータ２３１でレベル設定されたＲＦ信号を増幅するＲＦ増幅回路２３２と、ＲＦ増幅回路２３２で増幅されたＲＦ信号が入力するＲＦフィルタ回路２３３と、ＲＦフィルタ回路２３３で抽出されたＲＦ信号が入力するＲＦ-ＡＧＣ増幅回路２３４と、ＲＦ-ＡＧＣ増幅回路２３４で増幅されたＲＦ信号をＩＦ信号に変換する混合回路２３５と、混合回路２３５からのＩＦ信号が入力するＩＦフィルタ２３７と、ＩＦフィルタ回路２３７で不要な成分が抽出されたＩＦ信号を復調回路２４で扱える電圧まで増幅するＩＦ増幅回路２３８とを備えている。また、第２のチューナ部２３は、第１のチューナ部２２と異なるＲＦ-ＡＧＣ方式を実現するために、混合回路２３５からのＩＦ信号を検波してＲＦ-ＡＧＣ制御電圧を生成する検波回路２３６を備える。
【００２３】
ＲＦ-ＡＧＣ増幅回路２３４は、増幅度の調整が可能であり、検波回路２３６から与えられるＲＦ-ＡＧＣ制御電圧に応じた増幅度に設定される。ＩＦ増幅回路２３８には、第１のチューナ部２２と同様に、復調回路２４からＩＦ-ＡＧＣ制御電圧が入力される。復調回路２４は、ＩＦ増幅回路２３８からのＩＦ信号を基に該ＩＦ信号が一定レベルになるように、ＩＦ-ＡＧＣ制御電圧を出力する。なお、検波回路２３６は、混合回路２３５の後段でＩＦフィルタ２３７の前段の信号レベルを検波しているが、ＩＦフィルタ２３７の前段であれば混合回路２３５の前段の信号レベルを検波しても良い。
【００２４】
以上のように、第２のチューナ部２３では、ＲＦ-ＡＧＣ増幅回路２３４がＩＦフィルタ２３７の前段で検波された検波信号に基づいて生成されたＩＦ-ＡＧＣ制御電圧で制御され、またＩＦ-ＡＧＣ増幅回路２３８の増幅度が復調回路２４からのＩＦ-ＡＧＣ制御電圧で制御される。
【００２５】
上記ダイバーシチ受信装置において、第１のチューナ部２２及び第２のチューナ部２３は希望波（希望波以外の妨害波が存在しない又は弱入力妨害波の場合）に対するＡＧＣ特性は双方で顕著な差異は現れない。ところが、所定以上の大きさの妨害波（以後、ＡＧＣ特性に差異が現れない程度の妨害波である弱入力妨害波に対応した用語として「強入力妨害波」という。）が存在する場合、強入力妨害波に対する劣化は第１のチューナ部２２の方が第２のチューナ部２３よりも大きい。これは、第２のチューナ部２３はチューナ内部での検波制御であるため、強入力妨害波に対して高速で反応して、ＲＦ-ＡＧＣによる減衰量を大きく取ろうとするが、強入力妨害波が存在しても第１のチューナ部２２は最終段（復調回路２４）で判断しているため、希望波と妨害波の判断ができず、ＲＦ-ＡＧＣによる減衰量が十分に取れない。
【００２６】
本実施の形態は、第１のチューナ部２２と第２のチューナ部２３とでＲＦ-ＡＧＣ方式を異ならせることで、意図的に強入力妨害波が存在した際の第１のチューナ部２２と第２のチューナ部２３でのＲＦ-ＡＧＣ電圧に差が生じるように構成している。そして、多波妨害波による強入力妨害波により生じるＲＦ-ＡＧＣ電圧の差を検出し、検出結果を妨害波判定信号として外部回路へ通知する構成とし、妨害は判定信号から強入力妨害波発生を認識した外部回路から、第１及び第２のチューナ部２２、２３を歪み耐性の強い設定に切替えるように制御する構成した。
【００２７】
図２はＲＦ-ＡＧＣ電圧差を検出して強入力妨害波発生を外部回路へ通知するシステム構成を示す図である。論理回路３０は、第１のチューナ部２２のＲＦ-ＡＧＣ増幅回路２２４に供給されるＡＧＣ制御電圧値（ＲＦ-ＡＧＣ１）と、第２のチューナ部２３のＲＦ-ＡＧＣ増幅回路２３４に供給されるＲＦ-ＡＧＣ制御電圧値（ＲＦ-ＡＧＣ２）とを取り込み、ＲＦ-ＡＧＣ１とＲＦ-ＡＧＣ２との差分値の大きさを判断し、差分値が所定値以上になると強入力妨害波発生信号を出力する。コンピュータ４０は、入力妨害波の大きさ（強入力妨害波と弱入力妨害波）に対応した２種類の制御方法で、第１及び第２のチューナ部２２、２３のＲＦ-ＡＧＣに関する設定を切り替える。強入力妨害波用の制御方法として、１）ＡＧＣのスタートポイントを下げる、２）ＡＧＣの検波帯域を広げる、３）ＲＦ-ＡＧＣ増幅回路２２４、２３４より前段における信号を減衰させる、などが挙げられる。弱入力妨害波用の制御方法として、上記１）〜３）とは逆方向の制御となるが、弱入力妨害波用の制御方法を標準設定とすることができる。
【００２８】
以上のように構成されたダイバーシチ受信装置では、希望波以外の妨害波が存在しない又は弱入力妨害波の時は、第１のチューナ部２２のＲＦ-ＡＧＣ１と第２のチューナ部２３のＲＦ-ＡＧＣ２とがほぼ同じ大きさとなるので、弱入力妨害波に対応した制御方法が選択される。弱入力妨害波に対応した制御方法では、コンピュータ４０からの指示で検波回路２３６に設定される検波範囲が狭く設定され、アッテネータ回路２２１，２３１の減衰量も希望波を最も高感度に受信可能な値に設定される。このようにして、希望波に対して適切なＲＦ-ＡＧＣ及びＩＦ-ＡＧＣが掛けられて歪特性及び感度特性ともに良好な受信が実現される。
【００２９】
一方、強入力妨害波が発生した場合、第１のチューナ部２２では受信系統の最終段である復調回路２４においてＩＦ信号を基にＲＦ-ＡＧＣによる減衰量を判断しているので、前段部のＲＦ-ＡＧＣ増幅回路２２４が歪んで特性が劣化する。このとき、第２のチューナ部２２では、チューナ内部のＩＦフィルタ回路２３７よりも前段の信号レベルを検波回路２３６で検波してアテネータ回路２３１及びＲＦ-ＡＧＣ増幅回路２２４を高速に減衰させている。この結果、第１のチューナ部２２のＲＦ-ＡＧＣ増幅回路２２４に供給されるＡＧＣ制御電圧値（ＲＦ-ＡＧＣ１）と、第２のチューナ部２３のＲＦ-ＡＧＣ増幅回路２３４に供給されるＲＦ-ＡＧＣ制御電圧値（ＲＦ-ＡＧＣ２）とに差異が生じる。論理回路３０に取り込まれたＲＦ-ＡＧＣ１とＲＦ-ＡＧＣ２との差分値が所定値以上になれば、強入力妨害波発生判定信号（発生を示す）をコンピュータ４０へ出力する。コンピュータ４０は、妨害波発生信号を受けて、強入力妨害波に対応した制御方法で第１のチューナ部２２のＲＦ-ＡＧＣに関する設定を切り替える。たとえば、第１のチューナ部２２においてコンピュータ４０からの指示でアッテネータ回路２２１及びＲＦ-ＡＧＣ増幅回路２２４の減衰量が強入力妨害波に対応した減衰量に切り替えられる。または、第１のチューナ部２２のＡＧＣスタートポイントを下げることで対応する。すなわち、受信信号の信号レベルが初期設定よりも一段低レベルから増幅度を下げる方向のＡＧＣ制御を掛ける。なお、第１のチューナ部２２だけでなく同時に第２の受信回路２３に対しても第１のチューナ部２２と同様に強入力妨害波に対応した制御方法を適用する。特に、検波回路２３６における検波範囲を初期設定よりも広くするように制御することが望ましい。
【００３０】
このように、本実施の形態のダイバーシチ受信装置では、第１のチューナ部２２のＲＦ-ＡＧＣ増幅回路２２４の利得を復調回路２４からのＲＦ-ＡＧＣ制御電圧で制御し、第２のチューナ部２３のＲＦ-ＡＧＣ増幅回路２３４の利得をＩＦフィルタ回路２３７よりも前段の検波レベルを基に生成されたＲＦ-ＡＧＣ制御電圧で制御するように構成して、第１のチューナ部２２のＲＦ-ＡＧＣ増幅回路２２４にかかるＡＧＣ制御電圧値と第２のチューナ部２３のＲＦ-ＡＧＣ増幅回路２３４にかかるＡＧＣ制御電圧値との差の電圧値を判定できるようにしたので、電波環境に応じたチューナ設定変更を行うことが可能となる。
【産業上の利用可能性】
【００３１】
本発明は、テレビション信号を受信可能なテレビジョン受信機、カーナビゲーション、携帯端末などに適用可能である。
【符号の説明】
【００３２】
２０      第１のアンテナ            ２１      第２のアンテナ
２２      第１のチューナ部          ２３      第２のチューナ部
２４      復調回路                  ３０      論理回路
４０      コンピュータ              ２２１    アッテネータ回路
２２２    ＲＦ増幅回路              ２２３    ＲＦフィルタ回路
２２４    ＲＦ−ＡＧＣ増幅回路      ２２５    混合回路
２２６    局部発振回路              ２２７    ＰＬＬ
２２８    ＩＦフィルタ回路          ２２９    ＩＦ増幅回路
２３１    アッテネータ              ２３２    ＲＦ増幅回路
２３３    ＲＦフィルタ回路          ２３４    ＲＦ−ＡＧＣ増幅回路
２３５    混合回路                  ２３６    検波回路
２３７    ＩＦフィルタ              ２３８    ＩＦ−ＡＧＣ増幅回路
【図１】
2010258995.tif 000003
【図２】
2010258995.tif 000004
【図３】
2010258995.tif 000005
【図４】
2010258995.tif 000006